(57)【要約】      （修正有）【課題】工具が工具収納具に取り付けられているカラビナに当たらずに工具を取り出すことができる工具収納具を提供する。【解決手段】工具収納具１００は、工具収納具本体１１０と、取り付け片１２０とからなり、取り付け片１２０は、第一領域において工具収納具本体１１０に対して固定的に縫い付けられ、第一領域以外の第二領域において工具収納具本体１１０から外側に突出している。第二領域には孔１２１が形成され、この孔１２１にカラビナ４２０が取り付けられている。【選択図】図１
0003172528.tif 000002
【実用新案登録請求の範囲】
【請求項１】
作業者の身体に取り外し可能に着用される工具収納具本体と、
第一領域と第二領域とを有する少なくとも一つの取り付け片と、
からなる工具収納具であって、
前記取り付け片は、前記第一領域において前記工具収納具本体に対して固定的に取り付けられ、前記第二領域において前記工具収納具本体から外側に出ており、
前記第二領域には少なくとも一つの孔が形成されていることを特徴とする工具収納具。
【請求項２】
作業者の身体に取り外し可能に着用される工具収納具本体と、
前記工具収納具本体に対して回動自在に取り付けられている少なくとも一つの取り付け片と、
からなる工具収納具であって、
前記取り付け片には少なくとも一つの孔が形成されており、
前記孔は、前記取り付け片を前記工具収納具本体に対して回動させることにより、前記工具収納具本体の外側に位置させることが可能であることを特徴とする工具収納具。
【請求項３】
前記孔にはハトメが嵌め込まれていることを特徴とする請求項１または２に記載の工具収納具。
【考案の詳細な説明】
【技術分野】
【０００１】
本考案は１個または複数個の工具を収納可能な工具収納具に関する。
【背景技術】
【０００２】
図３は従来の工具収納具３００の部分的な平面図である。
【０００３】
図３に示すように、工具収納具３００には、上方に開口部３０１が形成されており、例えば、作業者のベルト４００に開口部３０１を通すことによって、工具収納具３００は作業者の身体に取り外し可能に着用される。
【０００４】
工具収納具３００には複数個の工具収納部３１０が形成されている。工具収納部３１０は工具４１０を収納し得る空間を有しており、上を向いて開口している開口部３１１を有している。開口部３１１を介して工具収納部３１０から工具４１０を引き出し、あるいは、工具収納部３１０に工具４１０を収納する。
【０００５】
また、工具収納部３１０の上方には１個の孔３２０（通常、孔３２０には「ハトメ」と呼ばれる金属リングが嵌め込まれている）が形成されており、この孔３２０にはカラビナ４２０やロープ（図示せず）などが取り付けられている。
【考案の開示】
【考案が解決しようとする課題】
【０００６】
しかしながら、孔３２０にカラビナ４２０が連結されていると、工具４１０を工具収納部３１０から取り出す際に、工具４１０（特に、図３の右側の工具４１０）を取り出す方向にカラビナ４２０が位置しているため、カラビナ４２０が工具４１０と干渉してしまう。このため、従来の工具収納具３００には、工具４１０を取り出しにくいという問題点があった。
【０００７】
工具４１０を取り出しにくいと、作業の迅速性が失われ、あるいは、工具４１０を取り出すときに工具４１０がカラビナ４２０と当たって、工具４１０を落としてしまうというおそれもあった。
【０００８】
本考案はこのような従来の問題点に鑑みてなされたものであり、工具を取り出す際に、工具収納具に取り付けられているカラビナその他の付属品に干渉することなく、工具を取り出すことができる工具収納具を提供することを目的とする。
【課題を解決するための手段】
【０００９】
この目的を達成するため、本考案は、作業者の身体に取り外し可能に着用される工具収納具本体と、第一領域と第二領域とを有する少なくとも一つの取り付け片と、からなる工具収納具であって、前記取り付け片は、前記第一領域において前記工具収納具本体に対して固定的に取り付けられ、前記第二領域において前記工具収納具本体から外側に出ており、前記第二領域には少なくとも一つの孔が形成されていることを特徴とする工具収納具を提供する。
【００１０】
さらに、本考案は、作業者の身体に取り外し可能に着用される工具収納具本体と、前記工具収納具本体に対して回動自在に取り付けられている少なくとも一つの取り付け片と、からなる工具収納具であって、前記取り付け片には少なくとも一つの孔が形成されており、前記孔は、前記取り付け片を前記工具収納具本体に対して回動させることにより、前記工具収納具本体の外側に位置させることが可能であることを特徴とする工具収納具を提供する。
【００１１】
例えば、前記孔にはハトメが嵌め込まれていることが好ましい。
【考案の効果】
【００１２】
本考案に係る工具収納具においては、取り付け片は、その第一領域において工具収納具に固定的に取り付けられ、第二領域においては、工具収納具の外側に突出している。第二領域には孔が形成されており、この孔に、例えば、カラビナを取り付けることができる。すなわち、本考案に係る工具収納具においては、従来の工具収納具３００とは異なり、工具収納部の上方には孔ひいてはカラビナは存在していないため、工具収納部から工具を引き出す際に、工具がカラビナに当たるために工具が引き出しにくいということがなくなる。
【００１３】
また、取り付け片を工具収納具に対して回動自在に取り付けることにより、カラビナが取り付けられている孔が工具収納具の外側に位置するように取り付け片を回動させることができるので、工具収納部から工具を引き出す際に、カラビナを工具と干渉しない位置まで回動させることが可能である。これにより、工具収納部の上方には孔ひいてはカラビナは存在しなくなるため、工具がカラビナに当たるために工具が引き出しにくいということがなくなる。
【図面の簡単な説明】
【００１４】
【図１】本考案の第一の実施形態に係る工具収納具の部分的な平面図である。
【図２】本考案の第二の実施形態に係る工具収納具の部分的な平面図である。
【図３】従来の工具収納具の部分的な平面図である。
【考案を実施するための最良の形態】
【００１５】
（第一の実施形態）
図１は本考案の第一の実施形態に係る工具収納具１００の部分的な平面図である。
【００１６】
図１に示すように、本実施形態に係る工具収納具１００は、工具収納具本体１１０と、取り付け片１２０と、から構成されている。
【００１７】
工具収納具本体１１０には、上方に開口部１１１が形成されており、例えば、作業者のベルト４００に開口部１１１を通すことによって、工具収納具本体１１０は作業者の身体に取り外し可能に着用される。
【００１８】
工具収納具本体１１０には複数個（図１においては２個）の工具収納部１１２が形成されている。各工具収納部１１２は工具４１０を収納し得る空間を有しており、上を向いて開口している開口部１１３を有している。開口部１１３を介して、工具収納部１１２から工具４１０を引き出し、あるいは、工具収納部１１２に工具４１０を収納する。
【００１９】
取り付け片１２０は、全体としては、長円形の形状をなしており、その左側のほぼ半分の領域（第一領域）において、工具収納具本体１１０に固定的に取り付けられている。例えば、取り付け片１２０は第一領域において工具収納具本体１１０に対して縫い付けられている。
【００２０】
取り付け片１２０の第一領域以外の領域（第二領域）は、図１に示すように、工具収納具本体１１０の工具収納具本体１１０の外側に突出している。
【００２１】
取り付け片１２０には、第二領域において、孔１２１が形成されており、この孔１２１には、例えば、カラビナ４２０が取り付けられている。
【００２２】
孔１２１には、必要に応じて、ハトメが嵌め込まれる。
【００２３】
以上のように、本実施形態に係る工具収納具１００においては、取り付け片１２０は、その第一領域において工具収納具本体１１０に対して固定的に取り付けられ、第二領域においては、工具収納具本体１１０の外側に突出しており、第二領域には孔１２１が形成され、孔１２１にカラビナ４２０が取り付けられている。
【００２４】
このため、本実施形態に係る工具収納具１００においては、従来の工具収納具３００とは異なり、工具収納部１１２の上方には孔１２１ひいてはカラビナ４２０は存在していないため、工具収納部１１２から工具４１０を引き出す際に、工具４１０がカラビナ４２０に当たるために工具４１０が引き出しにくいということがなくなる。
【００２５】
（第二の実施形態）
図２は本考案の第二の実施形態に係る工具収納具２００の部分的な平面図である。
【００２６】
上述の第一の実施形態に係る工具収納具１００においては、取り付け片１２０は工具収納具本体１１０に対して固定的に取り付けられていたが、本実施形態に係る工具収納具２００においては、取り付け片１２０は工具収納具本体１１０に対して回動自在に取り付けられている。この点を除いて、本実施形態に係る工具収納具２００は第一の実施形態に係る工具収納具１００と同様の構造を有している。
【００２７】
図２に示すように、取り付け片１２０は、その一端（図２においては、左端）の付近において工具収納具本体１１０に対して回動自在に取り付けられており、孔１２１は取り付け片１２０の他端（図２においては、右端）の付近に形成されている。
【００２８】
孔１２１ひいてはカラビナ４２０は、取り付け片１２０を工具収納具本体１１０に対して回動させることにより、工具収納具本体１１０の外側に位置させることが可能である。
【００２９】
また、工具収納具２００の非使用時には、カラビナ４２０を取り外した後、取り付け片１２０を回動させ、取り付け片１２０を工具収納具本体１１０の内部に収納すること、あるいは、工具収納具本体１１０と上下に重なり合わせることが可能である。
【００３０】
このように、本実施形態に係る工具収納具２００によっても、上述の第一の実施形態に係る工具収納具１００の効果と同様の効果を得ることができるとともに、工具収納具２００の非使用時には、取り付け片１２０を工具収納具本体１１０の内部に収納させ、あるいは、工具収納具本体１１０と重なりあわせ、工具収納具本体１１０から外側に突出しないようにすることも可能である。
【００３１】
第一及び第二の実施形態に係る工具収納具１００、２００は上記の構造に限定されるものではなく、種々の改変が可能である。
【００３２】
例えば、第一及び第二の実施形態に係る工具収納具１００、２００はいずれも一つの取り付け片１２０を備えるものとして構成されているが、必要に応じて、２個以上の取り付け片１２０を備えるものとして構成することも可能である。
【００３３】
また、第一及び第二の実施形態に係る工具収納具１００、２００においては、取り付け片１２０には１個の孔１２１が形成されているが、必要に応じて、２個以上の孔１２１を形成することも可能である。
【００３４】
また、第一及び第二の実施形態に係る工具収納具１００、２００においては、工具収納具本体１１０に工具収納部１１２が設けられているが、工具収納部１１２を設けることは必ずしも必要ではなく、工具収納部１１２が設けられていない工具収納具本体１１０に取り付け片１２０を取り付けることも可能である。
【符号の説明】
【００３５】
１００  第一の実施形態に係る工具収納具
１１０  工具収納具本体
１１１  開口部
１１２  工具収納部
１１３  開口部
１２０  取り付け片
１２１  孔
２００  第二の実施形態に係る工具収納具
４００  ベルト
４１０  工具
４２０  カラビナ
【図１】
0003172528.tif 000003
【図２】
0003172528.tif 000004
【図３】
0003172528.tif 000005